(57)【要約】【課題】人間が本来保有している治癒力を最大限発揮させることのできる入浴装置を提供する。【解決手段】液体と気体とを混合およびせん断してマイクロバブル含有水を作製する第１気体せん断部４と、マイクロバブル含有水を更にせん断してナノバブル含有水を作製する第２気体せん断部５と、ナノバブル含有水を更にせん断して浴槽水を作製する複数の第３気体せん断部であって、浴槽水を浴槽内の入浴者の方向に向かって吐出する第３気体せん断部６０〜６３、および浴槽水を浴槽内の入浴者とは別の方向に向かって吐出する第３気体せん断部６５を含む複数の第３気体せん断部と、浴槽内の入浴者とは別の方向に向かって吐出された浴槽水の進行方向を変えるとともに、当該進行方向が変わった浴槽水を入浴者の頭部（顔も含む）に向かって導く方向転換部６８と、を有する。【選択図】図１
2009106539.tif 000002
【特許請求の範囲】
【請求項１】
液体と気体とを混合およびせん断してマイクロバブル含有水を作製する第１気体せん断部と、
前記マイクロバブル含有水を更にせん断してナノバブル含有水を作製する第２気体せん断部と、
前記ナノバブル含有水を更にせん断して浴槽水を作製する複数の第３気体せん断部であって、前記浴槽水を浴槽内の入浴者の方向に向かって吐出する第３気体せん断部、および前記浴槽水を浴槽内の入浴者とは別の方向に向かって吐出する第３気体せん断部を含む複数の第３気体せん断部と、
前記浴槽内の入浴者とは別の方向に向かって吐出された浴槽水の進行方向を変えるとともに、当該進行方向が変わった浴槽水を前記入浴者の頭部に向かって導く方向転換手段と、を有することを特徴とする入浴装置。
【請求項２】
前記方向転換手段は、入浴者の頭部に対向する側が凹んだ曲面を有するものであることを特徴とする請求項１に記載の入浴装置。
【請求項３】
前記方向転換手段は、合成樹脂または金属からなることを特徴とする請求項１または２に記載の入浴装置。
【請求項４】
前記複数の第３気体せん断部の各々に対して設けられた、前記第３気体せん断部の各々から吐出される入浴水の量を調節するためのバルブと、
前記バルブの各々の開閉動作を制御するためのバルブ制御手段と、を有することを特徴とする請求項１〜３の何れか１項に記載の入浴装置。
【請求項５】
前記浴槽には、交流磁気を発生させるための少なくとも１つの磁気発生手段が設けられていることを特徴とする請求項１〜４の何れか１項に記載の入浴装置。
【請求項６】
前記浴槽の内部には、入浴者の体の少なくとも一部に沿った形状を有する固定手段が設けられており、
前記磁気発生手段は、前記固定手段に設けられていることを特徴とする請求項５に記載の入浴装置。
【請求項７】
前記磁気発生手段によって形成される磁場の強さは、８００ガウス以上の強さであることを特徴とする請求項５または６に記載の入浴装置。
【請求項８】
前記第１気体せん断部に導入される前の前記液体を、一時的に収容するための収容手段を有し、
前記収容手段内には、活性炭、ラジウム鉱石または薬用植物が、前記液体と接触可能に備えられていることを特徴とする請求項１〜７の何れか１項に記載の入浴装置。
【請求項９】
前記マイクロバブル含有水または前記ナノバブル含有水に対して磁場をかける活性化手段を備えることを特徴とする請求項１〜８の何れか１項に記載の入浴装置。
【請求項１０】
前記活性化手段は、前記マイクロバブル含有水または前記ナノバブル含有水を通過させるための流路を有し、
前記流路は、磁石のＳ極として機能する第１面と磁石のＮ極として機能する第２面とが対向するように配置されていることを特徴とする請求項９に記載の入浴装置。
【請求項１１】
前記活性化手段には、配管を介して前記マイクロバブル含有水または前記ナノバブル含有水が供給されており、
前記配管には、当該配管の少なくとも一部の内腔横断面の大きさを変化させ得る配管径調節手段が設けられていることを特徴とする請求項９または１０に記載の入浴装置。
【請求項１２】
前記第１気体せん断部に対して、１．２リットル／分以下にて前記気体を供給するための気体量調節手段を有することを特徴とする請求項１〜１１の何れか１項に記載の入浴装置。
【発明の詳細な説明】
【技術分野】
【０００１】
本発明は、ナノバブルを用いた入浴装置に関するものである。
【背景技術】
【０００２】
現在、日本社会は、高齢化が進展しつつある。このような状況下において、老人医療に対して、様々な見直しがされつつある。例えば、老人に薬を次々と投与することは、薬の吸収率の低下や薬の副作用を招くことが明らかになりつつあり、このような治療方法に頼らない新たな治療方法が望まれている。つまり、薬に頼らず、人間が本来保有している治癒力を最大限発揮させることによって疾患を克服することのできる装置や方法の開発が強く望まれている。
【０００３】
例えば、具体的な例として、生活習慣病である糖尿病を挙げることができる。現在の医療では、糖尿病患者の多くに対して、年を経るごとに投与する薬物の量を増加させる必要がある。これは、高齢になるにしたがって、腎臓または肝臓において薬の有効成分が分解されて体内に当該有効成分が十分に拡散できず、その結果、薬物を投与したときに患者のすい臓から分泌されるインスリンの量が減少するためであると考えられている。このことは、薬に頼る医療には限界があることを示している。
【０００４】
ところで、従来から、小さな直径を有する気泡（バブル）には様々な作用があることが知られており、現在、このような気泡を作製する技術およびその効果に対する研究が進みつつある。
【０００５】
上記気泡は、その直径に応じて、マイクロバブル、マイクロナノバブルおよびナノバブルに分類することができる。具体的には、マイクロバブルは、その発生時において１０μｍ〜数十μｍの直径を有する気泡であり、マイクロナノバブルは、その発生時において数百ｎｍ〜１０μｍの直径を有する気泡であり、ナノバブルは、その発生時において数百ｎｍ以下の直径を有する気泡である。なお、マイクロバブルは、発生後の収縮運動によって、その一部がマイクロナノバブルに変化することがある。また、マイクロバブルの一部は水中にて収縮して、最後には消滅してしまうマイクロバブルもある。一方、ナノバブルは、長期に渡って液体中に存在することができるという性質を有している。
【０００６】
例えば、従来から、様々なナノバブルの利用方法、およびナノバブルを利用した各種装置が知られている（例えば、特許文献１参照）。より具体的には、特許文献１には、ナノバブルが、浮力の減少、表面積の増加、表面活性の増大、局所高圧場の生成、または静電分極の実現によって、界面活性作用および殺菌作用を示すことが記載されている。更に、特許文献１には、ナノバブルが有する界面活性作用および殺菌作用を用いて、各種物体を洗浄する技術および汚濁水を浄化する技術が記載されている。更に、特許文献１には、ナノバブルを用いて生体の疲労を回復する方法が記載されている。なお、特許文献１では、水を電気分解するとともに、当該水に超音波振動を加えることによって、ナノバブルを作製している。
【０００７】
また、従来から、液体を原料としてナノバブルを作製する方法が知られている（例えば、特許文献２参照）。上記作製方法は、液体中において、１）上記液体の一部を分解ガス化する工程、２）上記液体に超音波を印加する工程、または３）上記液体の一部を分解ガス化する工程および上記液体に超音波を印加する工程、からなるものである。なお、液体の一部を分解ガス化する工程として、電気分解法または光分解法を用いることができることが記載されている。
【０００８】
また、従来から、オゾンガスからなるマイクロバブル（オゾンマイクロバブル）を利用する廃液処理装置が用いられている（例えば、特許文献３参照）。上記廃液処理装置では、オゾン発生装置によって作製されたオゾンガスと廃液とを、加圧ポンプを用いて混合することによって、オゾンガスからなるマイクロバブルを作製している。そして、当該マイクロバブルが廃液中の有機物と反応することによって、廃液中の有機物が酸化分解される。
【特許文献１】特開２００４−１２１９６２号公報（平成１６年４月２２日公開）
【特許文献２】特開２００３−３３４５４８号公報（平成１５年１１月２５日公開）
【特許文献３】特開２００４−３２１９５９号公報（平成１６年１１月１８日公開）
【発明の開示】
【発明が解決しようとする課題】
【０００９】
しかしながら、上記従来のバブルを用いた方法は、人間が本来保有している治癒力をある程度は可能であるが、人体における血流量を最大としていないので、治癒力を最大限発揮させることができないという問題点を有している。
【００１０】
具体的には、上記従来のバブルを用いた方法は、例えば人体に向かってナノバブル含有水を吐出する場合に、人体の別々の領域に対して、それぞれの領域にとって最適な別々の条件にてナノバブル含有水を吐出することができないという問題点を有している。
【００１１】
例えば、人体には、高圧にて、すなわち高圧によるマッサージ効果を含めて高圧ナノバブル含有水が吐出される方が所望の効果を得やすい領域と、低圧にて、すなわち顔面の洗浄効果を期待する場合の低圧ナノバブル含有水が吐出される方が所望の効果を得やすい領域とが存在する。しかしながら、上記従来のバブルを用いた方法では、人体の各領域を同じ条件のナノバブル含有水にて処理することになる。その結果、上記従来のバブルを用いた方法は、人間が本来保有している治癒力を最大限に発揮させることができないという問題点を有している。
【００１２】
本発明は、上記従来の問題点に鑑みなされたものであって、人間が本来保有している治癒力を、人体へのマッサージ作用および血流量を可能な限り増加させることによって、最大限発揮させることのできる入浴装置法を提供することにある。
【課題を解決するための手段】
【００１３】
本発明者らは、上記課題に鑑み鋭意検討した結果、以下の１）〜４）を見出し、本願発明を完成させるに至った。つまり、
１）ナノバブル含有水（例えば、有用物質を含有するナノバブル含有磁気活水）は、頭部毛髪の育毛効果を有するとともに、洗顔剤を使用することなく効果的に顔を洗浄することができること、
２）ナノバブル含有水（例えば、有用物質を含有するナノバブル含有磁気活水）を入浴者に対して直接吐出することなく、ナノバブル含有水を方向転換手段に反射させた後に入浴者に吐出すれば、頭部および顔に対する刺激が少ない条件下にて頭部毛髪の洗浄および顔の洗浄ができること、
３）例えばタイマー等を用いてバルブを開閉することにより、ナノバブル含有水（例えば、有用物質を含有するナノバブル含有磁気活水）を入浴者の体の各部位に対して、順次吐出することができる。そして、これによって、マッサージ効果を増大させることができること、
４）ナノバブル、交流磁気、および磁気活水（換言すれば、例えば永久磁石の磁気）の各々が有する効果を同時に発揮させることによって、入浴者の血流量を増加させることができるとともに、入浴者の血糖値を下げることができること。
【００１４】
本発明の入浴装置は、上記課題を解決するために、液体と気体とを混合およびせん断してマイクロバブル含有水を作製する第１気体せん断部と、前記マイクロバブル含有水を更にせん断してナノバブル含有水を作製する第２気体せん断部と、前記ナノバブル含有水を更にせん断して浴槽水を作製する複数の第３気体せん断部であって、前記浴槽水を浴槽内の入浴者の方向に向かって吐出する第３気体せん断部、および前記浴槽水を浴槽内の入浴者とは別の方向に向かって吐出する第３気体せん断部を含む複数の第３気体せん断部と、前記浴槽内の入浴者とは別の方向に向かって吐出された浴槽水の進行方向を変えるとともに、当該進行方向が変わった浴槽水を前記入浴者の頭部に向かって導く方向転換手段と、を有することを特徴としている。
【００１５】
上記構成によれば、第１気体せん断部によって液体と気体とを混合およびせん断することによって、上記気体からなるマイクロバブルを含有するマイクロバブル含有水を作製することができる。次いで、第２気体せん断部によって上記マイクロバブル含有水を更にせん断することによって、当該マイクロバブル含有水中のマイクロバブルが更にせん断される。その結果、上記気体からなるナノバブルを含有するナノバブル含有水を作製することができる。次いで、第３気体せん断部によって上記ナノバブル含有水を更にせん断することによって、当該ナノバブル含有水中のナノバブルが更に小さくせん断される。つまり、ナノバブルのサイズ（直径）が更に小さくなる。その結果、上記気体からなる小さなナノバブルを含有する浴槽水を作製することができる。そして、ナノバブルには入浴者の血流量を増加させる作用があるので、上記構成によれば、入浴者の血流量を増加させることができる。
【００１６】
また、上記構成によれば、複数の第３気体せん断部を有しており、当該複数の第３気体せん断部には、浴槽水を浴槽内の入浴者に向かって吐出する第３気体せん断部と、浴槽水を浴槽内の入浴者とは別の方向に向かって吐出する第３気体せん断部との両方が含まれている。このとき、浴槽水を浴槽内の入浴者に向かって吐出する場合、換言すれば、浴槽水を浴槽内の入浴者に向かって直に吐出する場合には、浴槽水を高圧にて入浴者に接触させることができる。一方、浴槽内の入浴者とは別の方向に向かって吐出された浴槽水は、方向転換手段に向かって吐出されることになる。そして、吐出された浴槽水は、方向転換手段によって進行方向が変えられる。換言すれば、吐出された浴槽水は、方向転換手段によって跳ね返されることによって、または、方向転換手段の表面に一度付着した後に下方に向かって滴下することによって、進行方向が変えられる。そして、方向転換手段によって進行方向が変えられるときに、上記浴槽水の速度が低下する。速度が低下した浴槽水は、上記方向転換手段によって入浴者の頭部に向かって導かれるので、浴槽水を低圧にて入浴者の頭部に接触させることができる。
【００１７】
したがって、上記構成によれば、体の各領域に適した圧力にて、ナノバブルを含有する浴槽水を体に接触させることができるので、人間が本来保有している治癒力を最大限に発揮させることができる。
【００１８】
本発明の入浴装置では、前記方向転換手段は、入浴者の頭部に対向する側が凹んだ曲面を有するものであることが好ましい。
【００１９】
上記構成によれば、第３気体せん断部の少なくとも１つから吐出された浴槽水の速度を確実に落とすことができるとともに、速度が落ちた浴槽水を確実に入浴者の頭部に向かって導くことができる。その結果、刺激が少ない状態で、頭部に対して浴槽水を接触させることができる。
【００２０】
本発明の入浴装置では、前記方向転換手段は、合成樹脂または金属からなることが好ましい。
【００２１】
上記構成によれば、第３気体せん断部の少なくとも１つから吐出された浴槽水の速度を確実に落とすことができるとともに、速度が落ちた浴槽水を確実に入浴者の頭部に向かって導くことができる。その結果、刺激が少ない状態で、頭部に対して浴槽水を接触させることができる。また、上記構成であれば、低価格の簡単な設備によって方向転換手段を構成することができる。
【００２２】
本発明の入浴装置では、前記複数の第３気体せん断部の各々に対して設けられた、前記第３気体せん断部の各々から吐出される入浴水の量を調節するためのバルブと、前記バルブの各々の開閉動作を制御するためのバルブ制御手段と、を有することが好ましい。
【００２３】
上記構成によれば、前記複数の第３気体せん断部の各々に対応するように、つまり、前記複数の第３気体せん断部の各々の上流に個別に、バルブが設けられている。その結果、上記バルブによって、各代３気体せん断部から吐出される浴槽水の量（例えば、浴槽水を吐出するか否か）を調節することができる。また、上記構成によれば、バルブ制御手段によって、バルブごとに開閉動作（例えば、開閉のタイミング、およびバルブが開かれている時間）が制御されている。その結果、浴槽水を吐出する第３気体せん断部を経時的に変化させることができるので、入浴者の体に向かって、流れが様々に変化する浴槽水を吐出することができる。その結果、マッサージ効果を上昇させることができる。
【００２４】
本発明の入浴装置では、前記浴槽には、交流磁気を発生させるための少なくとも１つの磁気発生手段が設けられていることが好ましい。
【００２５】
上記構成によれば、磁気発生手段によって、入浴者に対して交流磁気を照射することができる。そして、交流磁気の作用によって、入浴者の血流量を増加させることができる。
【００２６】
本発明の入浴装置では、前記浴槽の内部には、入浴者の体の少なくとも一部に沿った形状を有する固定手段が設けられており、前記磁気発生手段は、前記固定手段に設けられていることが好ましい。
【００２７】
上記構成によれば、固定手段によって、浴槽内における入浴者の体の位置を固定することができる。また、上記固定手段は上記磁気発生手段を備えているので、上記磁気発生手段の近くに入浴者の体を配置することができる。それによって、確実に、入浴者に対して交流磁気を照射することができる。その結果、入浴者の血流量を増加させることができる。
【００２８】
本発明の入浴装置では、前記磁気発生手段によって形成される磁場の強さは、８００ガウス以上の強さであることが好ましい。
【００２９】
上記構成によれば、体の内部に確実に磁場をかけることができる。つまり、体の内部に所望の効果を及ぼし得る程度の磁力線を発生させることができる。
【００３０】
本発明の入浴装置では、前記第１気体せん断部に導入される前の前記液体を、一時的に収容するための収容手段を有し、前記収容手段内には、活性炭、ラジウム鉱石または薬用植物が、前記液体と接触可能に備えられていることが好ましい。
【００３１】
上記構成によれば、収容手段内に備えられた活性炭、ラジウム鉱石または薬用植物によって、浴槽水の原材料である上記液体に対して、予め様々な処理を施すことができる。その結果、作製される浴槽水に対して、様々な効果を付与することができる。
【００３２】
例えば、上記収容手段内に薬用植物（生薬）を備えさせれば、当該薬用物質から液体に有用物質（例えば、薬効成分）を抽出することができる。その結果、有用物質を含有する浴槽水を作製することができるとともに、当該有用物質の効果を入浴者に及ぼすことができる。
【００３３】
また、上記収容手段内に活性炭を備えさせれば、液体中（浴槽水中）の各種物質（例えば、有機物または着色成分等）を当該活性炭に吸着させて除去することができる。その結果、浴槽水を再利用することができる。すなわち、資源を有効利用することができる。
【００３４】
また、上記収容手段内にラジウム鉱石を備えさせれば、ラジウムを液体中に溶解させることができる。その結果、ラジウムを含有する浴槽水を作製することができるとともに、ラジウムに由来する放射線を入浴者に作用させることができる。つまり、ラジウムに由来する微量の放射線によって入浴者の体内の細胞を刺激し、その結果、体の恒常性を増加させることができる（ホルミシス効果）。
【００３５】
本発明の入浴装置では、前記マイクロバブル含有水または前記ナノバブル含有水に対して磁場をかける活性化手段を備えることが好ましい。
【００３６】
上記構成によれば、マイクロバブル含有水またはナノバブル含有水に対して磁場をかけることによって、マイクロバブル含有水またはナノバブル含有水に磁気活性を付与することができる。そして、磁気活性が付与されたバブル含有水を用いて浴槽水が作製されるので、磁気活性を有する浴槽水を作製することができる。磁気活性は入浴者の血流量を増加させる効果を有しているので、上記構成によれば、入浴者の血流量を増加させることができる。
【００３７】
本発明の入浴装置では、前記活性化手段は、前記マイクロバブル含有水または前記ナノバブル含有水を通過させるための流路を有し、前記流路は、磁石のＳ極として機能する第１面と磁石のＮ極として機能する第２面とが対向するように配置されていることが好ましい。
【００３８】
上記構成によれば、上記活性化手段は、磁石のＳ極として機能する第１面と磁石のＮ極として機能する第２面とが対向するように配置された流路を有している。したがって、当該流路中を液体が通過することによって、液体に対して磁場をかけることができる。そして、その結果、液体に対して磁気活性を付与することができる。つまり、磁気活水を作製することができる。
【００３９】
本発明の入浴装置では、前記活性化手段には、配管を介して前記マイクロバブル含有水または前記ナノバブル含有水が供給されており、前記配管には、当該配管の少なくとも一部の内腔横断面の大きさを変化させ得る配管径調節手段が設けられていることが好ましい。
【００４０】
上記構成によれば、上記配管径調節手段によって、配管の少なくとも一部の領域において配管内腔の横断面の大きさを変化させることができる。その結果、配管を介して上記活性化手段に供給される液体の量を調節することができる。つまり、上記活性化手段によって磁場がかけられているときの液体の流速を調節することができるとともに、上記活性化手段によって磁場がかけられているときの液体の流れを乱流ではなく相流にすることができる。その結果、上記液体に対して、効率よく磁気活性を付与することができる。
【００４１】
本発明の入用装置では、前記第１気体せん断部に対して、１．２リットル／分以下にて前記気体を供給するための気体量調節手段を有することが好ましい。
【００４２】
上記構成によれば、ナノバブルを効果的かつ大量に作製することができる。
【発明の効果】
【００４３】
本発明の入浴装置は、以上のように、液体と気体とを混合およびせん断してマイクロバブル含有水を作製する第１気体せん断部と、上記マイクロバブル含有水を更にせん断してナノバブル含有水を作製する第２気体せん断部と、上記ナノバブル含有水を更にせん断して浴槽水を作製する複数の第３気体せん断部であって、上記浴槽水を浴槽内の入浴者の方向に向かって吐出する第３気体せん断部、および上記浴槽水を浴槽内の入浴者とは別の方向に向かって吐出する第３気体せん断部を含む複数の第３気体せん断部と、上記浴槽内の入浴者とは別の方向に向かって吐出された浴槽水の進行方向を変えるとともに、当該進行方向が変わった浴槽水を上記入浴者の頭部に向かって導く方向転換手段と、を有するものである。
【００４４】
それゆえ、磁気活水が有する磁気活性に由来する作用、ナノバブルに由来する作用、および交流磁気に由来する作用とによって、入浴者の血流量および血液中のインスリン様成長因子の量を増加させることができるとともに、入浴者の体を洗浄することができるという効果を奏する。また、入浴者をマッサージすることができるという効果を素する。
【００４５】
更に具体的には、入浴者の頭部に対しては、頭髪を洗浄するとともに育毛することができるという効果を奏する。
【００４６】
また、血流量および血液中のインスリン様成長因子の量を増加させることができれば、各種疾患を治療することができる。例えば、上記疾患としては、中枢神経系疾患、心血管系疾患、代謝系疾患、消化器系疾患、血液および免疫系疾患、泌尿生殖器系疾患、筋骨格系疾患、皮膚及び毛髪疾患等を挙げることができる。
【発明を実施するための最良の形態】
【００４７】
〔実施の形態１〕
本発明の一実施形態について図１に基づいて説明すれば、以下の通りである。なお、本明細書において「ナノバブル」とは、その発生時において数百ｎｍ以下の直径を有する気泡が意図される。また、本明細書において「磁気活水」とは、例えば人工的に作り出された磁場中に水を通過させることにより、磁界のエネルギーによって活性化された液体（例えば、水）が意図される。また、本明細書において「磁気活性」とは、磁力線の作用によって、液体または気体が備える活性が意図される。
【００４８】
本実施の形態の入浴装置４７は、処理部４６およびナノバブル発生部１７を備えている。以下に、各構成について説明する。
【００４９】
〔１．処理部〕
以下に、処理部４６について説明する。
【００５０】
上記処理部４６には浴槽１が備えられており、当該浴槽１内にナノバブルを含有する浴槽水が吐出される。
【００５１】
上記浴槽１の内部には液体が貯蔵されている。なお、当該液体としては特に限定されず、例えば水などを用いることができる。また、上記液体の温度も適宜設定することができ、例えば温水または冷水等を用いることができる。なお、浴槽１内に貯蔵される液体の量は、バルブ４３によって調節され得る。
【００５２】
上記浴槽１内には、固定部４４（固定手段）が設けられていることが好ましい。当該固定部４４の形状は特に限定されないが、例えば、入浴者の体の少なくとも一部に沿った形状を有するものであることが好ましい。上記構成であれば、上記固定部４４に沿った状態で、入浴者の体を浴槽１内に固定することができる。
【００５３】
また、図１に示すように、固定部４４は、入浴者の臀部の位置を固定化するための腰掛部４２を備えていることが更に好ましい。なお、上記腰掛部４２の形状は特に限定されないが、入浴者の臀部に沿った形状を有していることが好ましい。上記構成であれば、上記腰掛部４２に沿った状態で、入浴者の臀部を浴槽１内に固定することができる。
【００５４】
上記浴槽１には、交流磁気を発生させるための少なくとも１つの磁気発生部４５（磁気発生手段）が設けられていることが好ましい。また、当該磁気発生部４５は、固定部４４内に設けられていることが更に好ましい。なお、本明細書において「交流磁気」とは、各種電源を使用して磁力線を発生させることによって生じる磁気であって、Ｎ極とＳ極とが１秒間に数十回入れ替わる磁気が意図される。交流磁気のような強力な磁気は、体の深部までとどく。そして、当該交流磁気によって体内に電流が流れ、これによって細胞の外側に存在するカルシウムイオン、ナトリウムイオン等の無機イオンが刺激される。そして、平滑筋が開いたり、閉じたりすることによって、血流量を増加させることができる。
【００５５】
磁気発生部４５としては特に限定されず、適宜公知の構成を用いることができる。例えば、上記磁気発生部４５として、電磁石または交流磁気治療器を用いることができる。なお、交流磁気治療器としては特に限定されず、適宜公知の交流磁気治療器を用いることができる。例えば、ＧＴＲ型の交流磁気治療器（株式会社マグネタイザー製）を用いることができるが、これに限定されない。
【００５６】
図１に示すように、上記磁気発生部４５は、第１極３９および第２極４０を備えている。つまり、上記磁気発生部４５は、１対の第１極３９および第２極４０からなる。上記第１極３９および第２極４０は、ともに、磁石のＮ極またはＳ極に切り替えられ得る。このとき、一方がＮ極として機能している時には、他方はＳ極として機能している。そして、上記第１極３９および第２極４０の極性を連続的に切り替えることによって、上記第１極３９と第２極４０との間に交流磁気を発生させることができる。
【００５７】
上記磁気発生部４５の数は特に限定されず、必要に応じて適宜設定することができる。例えば、上記磁気発生部４５の数は、多いほど好ましい。更に具体的には、磁気発生部４５の数は、１つの浴槽につき４〜８個であることが好ましい。磁気発生部４５の数が多ければ多いほど、入浴者の体全体に均等に交流磁気を照射することができるので、入浴者の血流量をより確実に増加させることができる。
【００５８】
上記磁気発生部４５が設けられている位置は特に限定されない。例えば、上記固定部４４内に備えられていることが好ましい。また、上記磁気発生部４５は、上記固定部４４内における入浴者の頭部が配置される領域内に設けられることが好ましい。一般に脳からの指令に基づいて血液循環、およびホルモンのバランスが調整される。したがって、上記構成によれば、脳に交流磁気を照射することによって、ホルモン疾患や、血液循環と関係する糖尿病、または慢性疾患高血圧を改善することができる。なお、上記磁気発生部４５を固定部４４内における入浴者の頭部が配置される領域内に設ける場合には、図１に示すように、浴槽１の側面を通常の浴槽よりも高くすることが好ましい。
【００５９】
上記磁気発生部４５によって形成される磁場の強さは特に限定されないが、例えば８００ガウス以上の強さであることが好ましい。磁場による治療効果を測定する方法として、血液中のセロトニンの量を測定する方法が知られている。上記磁場の強さが８００ガウス以上の場合、血液中のセロトニンの量が確実に変化する。つまり、上記磁場の強さが８００ガウス以上の場合、当該磁場によって確実に血流量を増加させることができる。
【００６０】
〔２．ナノバブル発生部〕
以下に、ナノバブル発生部１７について説明する。
【００６１】
上記ナノバブル発生部１７は、液体と気体とを用いてナノバブル含有水を作製するための構成である。そして、収容部４９および／または磁気活水作製部９をナノバブル発生部１７内に更に設けることによって、ナノバブル含有水に対して、薬効成分または磁気活性等に由来する更なる特性を付与することができる。以下に、ナノバブル発生部１７について、詳細に説明する。
【００６２】
ナノバブル発生部１７は、大まかに言えば、気液混合循環ポンプ３を備える第１気体せん断部４、第２気体せん断部５、第３気体せん断部６０〜６３、第３気体せん断部６５、電動ニードルバルブ８（気体量調節手段）、および気体配管７を備えている。更に、ナノバブル発生部１７は、収容部４９（収容手段）、配管径調節部３４（配管径調節手段）、磁気活水作製部９（活性化手段）を備えていることが好ましい。
【００６３】
図１に示すように、本実施の形態の入浴装置では、浴槽１内の液体が、配管５３を介して収容部４９内に導入される。このとき、配管５３にはバルブ５４が設けられていることが好ましい。バルブ５４によって、浴槽１から収容部４９内に導入される液体の量を調節することができるとともに、入浴装置４７によって作製されるナノバブル含有水の量を調節することができる。なお、上記バルブ５４を開くことによって、浴槽１内の液体は、重力によって自然に収容部４９内に導入される。
【００６４】
収容部４９内には、底部として網状の仕切り６９を有するとともに側壁として仕切り板５１を有する充填部７４が設けられていることが好ましい。上記仕切り６９が網状であることによって、充填部７４内に充填される様々な物質と収容部４９内に導入された液体とを接触させることができる。
【００６５】
充填部７４内に充填される物質としては特に限定されず、様々な物質を充填することができる。そして、これによって、本実施の形態の入浴装置によって作製される浴槽水に様々な機能を付与することができる。例えば、充填部７４内に充填される物質としては、活性炭、ラジウム鉱石または薬用植物等を挙げることができるがこれらに限定されない。
【００６６】
例えば、図１では、充填部４７内に薬用植物５２が充填されている。そして、当該薬用植物５２から、様々な薬効成分が収容部４９内の液体中に抽出される。上記薬用植物５２としては特に限定されず、様々な薬用植物を用いることができる。例えば、薬用植物５２としては、育毛効果があることが知られているセンブリまたは朝鮮人参、体を温める効果があることが知られているショウブ、ユズ、トウキ、カミツレ、アロエまたはハマゴウなどを用いることが好ましい。
【００６７】
上記第１気体せん断部４には配管２および気体配管７が接続されている。そして、上記配管２を介して、上記収容部４９から第１気体せん断部４に液体が供給されるとともに、上記気体配管７を介して第１気体せん断部４に気体が供給される。そして、上記第１気体せん断部４の中で上記液体と上記気体とが混合およびせん断されて、その結果、マイクロバブル含有水が作製される。
【００６８】
なお、上記気体としては特に限定されない。例えば、上記気体としては、空気、オゾンガス、炭酸ガス、酸素ガスまたは窒素ガスなどを用いることが好ましい。
【００６９】
上記第１気体せん断部４内への液体の供給は、気液混合循環ポンプ３を動作させることによって行われる。また、上記第１気体せん断部４内への気体の供給のタイミング、および気体の供給量の調節は、電動ニードルバルブ８の開閉動作によって調節される。したがって、気液混合循環ポンプ３および電動ニードルバルブ８を制御することによって、ナノバブルを含有する浴槽水の作製を制御することができる。なお、図１に示すように、上記電動ニードルバルブ８および気液混合循環ポンプ３は、スイッチ７２およびタイマーパネル７３等によって制御することができる。
【００７０】
上記電動ニードルバルブ８の開閉動作のタイミングは特に限定されない。例えば、まず上記気液混合循環ポンプ３の運転を開始することによって上記第１気体せん断部４内に液体を導入するとともに当該液体を攪拌させる。その後、上記気液混合循環ポンプ３の出力が最大値に達した時点以降に上記電動ニードルバルブ８を開いて、これによって上記第１気体せん断部４内に気体を供給することが好ましい。また、上記気液混合循環ポンプ３の運転を開始してから６０秒後以降に上記電動ニードルバルブ８を開いて、これによって上記第１気体せん断部４内に気体を供給することが、より好ましい。
【００７１】
上記第１気液混合循環ポンプ３の運転開始時に上記電動ニードルバルブ８を開くことも可能であるが、この場合、気液混合循環ポンプ３がキャビテーション現象を起し、その結果、気液混合循環ポンプ３が損傷する恐れがある。しかしながら、上記構成であれば、気液混合循環ポンプ３がキャビテーション現象を起すことを防止することができるので、その結果、気液混合循環ポンプ３が破損することを防ぐことができる。
【００７２】
上記電動ニードルバルブ８を開くことによって上記第１気体せん断部４内に供給される気体の量は特に限定されない。例えば、上記第１気体せん断部４に対して、１．２リットル／分以下にて気体を供給することが好ましい。上記構成であれば、効率よく多量のマイクロバブル含有水を作製することができるとともに、最終的に多量のナノバブルを含有する浴槽水を作製することができる。
【００７３】
次いで、ナノバブル発生部１７によってナノバブルを含有する浴槽水が作製される工程について更に詳細に説明する。なお、上記浴槽水は、大まかに言えば２つの工程（第１気体せん断工程および第２気体せん断工程）を経て製造される。以下に、第１気体せん断工程および第２気体せん断工程について更に詳細に説明する。
【００７４】
〔２−１：第１気体せん断工程〕
第１気体せん断工程では、気体と液体とから、マイクロバブル含有水が作製される。換言すれば、気体配管７を介して第１気体せん断部４に供給される気体からなるマイクロバブルが作製される。
【００７５】
第１気体せん断工程では、上記第１気体せん断部４において、気液混合循環ポンプ３を用いて気体と液体との混合物の圧力が流体力学的に制御されるとともに、負圧部に対して気体が吸入される。なお、「負圧部」とは、気体と液体との混合物の中で、周りと比較して圧力が小さな領域を意図する。そして、上記混合物を高速流体運動させて負圧部を形成しながら気体をせん断することによって、微細なマイクロバブルを発生させることができる。換言すれば、液体と気体とを効果的に自給混合するとともに、圧送する。これによって、より微細なマイクロバブルを含有するマイクロバブル含有水を作製することができる。
【００７６】
上記気液混合循環ポンプ３としては特に限定されないが、揚程４０ｍ以上（４ｋｇ/ｃｍ２の圧力）の高揚程のポンプであることが好ましい。また、気液混合循環ポンプ３としてはトルクが安定している２ポールのポンプを用いることが好ましい。上記構成によれば、第１気体せん断部４内のマイクロバブル含有水に対して所望の圧力を加えることが可能であり、その結果、マイクロバブル含有水に含まれるマイクロバブルをより微細にせん断することができる。
【００７７】
また、上記気液混合循環ポンプ３は、ポンプの圧力が適切に制御されていることが好ましい。例えば、気液混合循環ポンプ３の回転数が、インバーター等の回転制御部によって制御されていることが好ましい。なお、上記回転制御部は、更にシーケンサーによって制御され得る。上記構成によれば、上記第１気体せん断部４の中のマイクロバブル含有水に対して所望の圧力を加えることが可能となり、その結果、マイクロバブル含有水に含まれるマイクロバブルを所望のサイズに揃えることができる。
【００７８】
上記第１気体せん断部４を構成する材料は特に限定されないが、ステンレス、プラスチック、または樹脂であることが好ましい。上記材料の中では、ステンレスが最も好ましい。上記構成によれば、マイクロバブル含有水中に不純物が混入することを防止することができるとともに、第１気体せん断部４が振動することを防止することができる。
【００７９】
また、上記第１気体せん断部４の厚さ（隔壁の厚さ）は特に限定されないが、６ｍｍ〜１２ｍｍであることが好ましい。一般的に、第１気体せん断部４の厚さが薄ければ、第１気体せん断部４中のマイクロバブル含有水の運動によって、第１気体せん断部４が振動する。つまり、マイクロバブル含有水の運動エネルギーが振動として外部に伝播して失われるので、マイクロバブル含有水の高速流動運動が低下し、その結果、せん断エネルギーが低下する。しかしながら、上記構成によれば、第１気体せん断部４の振動を防ぐことかできるので、効率よくマイクロバブルを作製することができる。
【００８０】
次いで、気液混合循環ポンプ３を有する第１気体せん断部４がマイクロバブルを発生させるメカニズムについて詳細に説明する。
【００８１】
まず、上記第１気体せん断部４において、マイクロバブル含有水の構成成分である液体と気体とからなる混相旋回流を発生させる。具体的には、例えばインペラと呼ばれる羽を超高速で回転させることによって、液体と気体とからなる混相旋回流を発生させることができる。このとき、第１気体せん断部４の中心部には、高速旋回する気体空洞部が形成される。
【００８２】
次いで、上記気体空洞部を圧力によって竜巻状に細くして、より高速で旋回する回転せん断流を発生させる。このとき、上記気体空洞部に対しては、当該気体空洞部の負圧を利用して、気体を自動的に供給させることができる。そして、さらにマイクロバブルをせん断（切断）・粉砕しながら混相旋回流を回転させる。なお、上記切断・粉砕は、第１気体せん断部４の出口内外における気液二相流体の回転速度の差によって生じる。なお、上記回転速度の差は、５００〜６００回転／秒であることが好ましい。
【００８３】
すなわち、第１気体せん断部４において、気液混合循環ポンプ３によってマイクロバブル含有水を高速流体運動させることによって負圧部を形成するとともに、流体力学的にマイクロバブル含有水の圧力を制御することによって上記負圧部に対して気体を供給している。その結果、第１気体せん断部４では、マイクロバブルを発生させることができる。換言すれば、第１気液混合循環ポンプ３を用いて液体と気体とを効果的に自給混合溶解しながら圧送することによりマイクロバブル含有水を製造することができる。
【００８４】
上記第１気体せん断部４の内腔の横断面の形状は特に限定されないが、楕円形であることが好ましく、真円形であることが最も好ましい。また、上記第１気体せん断部４の内腔表面は、鏡面仕上げによって形成されていることが好ましい。上記構成によれば、第１気体せん断部４の内部表面の摩擦が小さいので、気体と液体との混合物を高速旋回させることができるとともに、気体を効率良くせん断することができる。その結果、多くの微細なマイクロバブルを発生させることができるとともに、最終的に多くのナノバブルを発生させることができる。
【００８５】
また、第１気体せん断部４の内部表面（内腔表面）には、溝が設けられていることが好ましい。また、上記溝の数は特に限定されないが、２本以上設けられていることが好ましい。上記溝は、第１気体せん断部４の内部表面上に形成され、かつ凹形状を有するものであればよく、その形状は特に限定されない。例えば、上記溝は、深さ略０．３ｍｍ〜０．６ｍｍ、幅略０．８ｍｍ以内であることが好ましい。上記構成によれば、第１気体せん断部４内の液体と気体との混合物の旋回乱流の発生を制御することができるので、多くの微細なマイクロバブルを発生させることができるとともに、最終的に多くのナノバブルを発生させることができる。
【００８６】
また、上記第１気体せん断部４へは、配管２を介して液体が供給され、配管８０を介してマイクロバブル含有水が吐出されている。このとき、上記第１気体せん断部４へ液体を供給する配管の内腔の横断面の面積は、マイクロバブル含有水を吐出する配管の内腔の横断面の面積よりも大きいことが好ましい。上記構成によれば、マイクロバブル含有水の吐出圧力を高めることができるので、安定的にマイクロバブルを発生させることができる。
【００８７】
〔２−２：第２気体せん断工程〕
第２気体せん断工程では、上記第１気体せん断工程にて作製されたマイクロバブル含有水からナノバブル含有水が作製される。更に詳細には、上記第１気体せん断部４によって作製されたマイクロバブル含有水を、第２気体せん断部５、および第３気体せん断部６０〜６３・６５にて更にせん断して、これによってナノバブル含有水を作製している。本実施の形態の入浴装置のように、第２気体せん断部５および第３気体せん断部６０〜６３・６５を直列に接続してナノバブルを作製すれば、第２気体せん断部５のみでナノバブルを作製する場合と比較して、より多くのナノバブルを作製することができる。
【００８８】
図１に示すように、上記気液混合循環ポンプ３によって、マイクロバブル含有水が第１気体せん断部４から第２気体せん断部５へ、さらには第３気体せん断部６０〜６３・６５へ圧送される。マイクロバブル含有水が第１気体せん断部４から第２気体せん断部５へ、さらには第３気体せん断部６０〜６３・６５へと配管を介して圧送される場合には、バブル含有水が圧送される方向に向かって、徐々にまたは段階的に配管の直径が小さくなることが好ましい。上記構成によれば、バブル含有水をより高速で流体運動しながら竜巻状に細くすることができる。換言すれば、より高速で旋回する回転せん断流を発生させることができる。その結果、マイクロバブルからナノバブルを効率よく発生させることができるとともに、ナノバブル含有水中に超高温の極限反応場を形成することができる。
【００８９】
上記極限反応場が形成されると、ナノバブル含有水が局部的に高温高圧状態となり、当該局所にて不安定なフリーラジカルができるとともに、同時に熱が発生される。フリーラジカルは不対電子を有する原子または分子であって、他の原子または分子から電子を奪い取って安定化しようとする。それゆえ、フリーラジカルを含むナノバブル含有水は、強い酸化力を示すことになる。そして、当該フリーラジカルの作用によって、入浴者の血流量を増加させることができる。
【００９０】
また、第２気体せん断部５および第３気体せん断部６０〜６３・６５は、ステンレス、プラスチック、または樹脂によって形成されていることが好ましい。上記構成によれば、より多くのナノバブルを作製することができる。
【００９１】
また、第２気体せん断部５および第３気体せん断部６０〜６３・６５の内腔の横断面の形状は、楕円形であることが好ましく、真円形であることが最も好ましい。上記構成によれば、第２気体せん断部５および第３気体せん断部６０〜６３・６５の内部表面の抵抗（摩擦）が小さくなるので、バブル含有水を高速旋回させることができるとともに、バブル含有水を効率良くせん断することができ、その結果、多くのナノバブルを発生させることができる。
【００９２】
また、第２気体せん断部５および第３気体せん断部６０〜６３・６５の内部表面には、孔が開いていることが好ましい。上記孔の開口の直径は特に限定されないが、４ｍｍ〜９ｍｍであることが好ましい。上記構成によれば、上記第２気体せん断部５および第３気体せん断部６０〜６３・６５の内部におけるバブル含有水の旋回運動を制御することができる。つまり、上記構成によれば、第２気体せん断部５および第３気体せん断部６０〜６３・６５の内部の旋回乱流の発生を制御することができる。その結果、第２気体せん断部５および第３気体せん断部６０〜６３・６５によって、安定にナノバブルを発生させることができる。
【００９３】
本実施の形態の入浴装置に設けられる第３気体せん断部の数は２つ以上であればよく、特に限定されない。そして、上記第３気体せん断部のうちの少なくとも１つは、最終的に作製されたナノバブル含有水（浴槽水）を浴槽内の入浴者の方向に向かって吐出する（図１の第３気体せん断部６０〜６３参照）。これによって、高圧にてナノバブル含有水を入浴者に接触させることができる。また、上記第３気体せん断部のうちの少なくとも１つは、最終的に作製されたナノバブル含有水（浴槽水）を浴槽内の入浴者とは別の方向、つまり方向転換部６８に向かって吐出する（図１の第３気体せん断部６５参照）。これによって、低圧にてナノバブル含有水を入浴者の頭部および顔に接触させることができる。なお、本明細書において「入浴者とは別の方項」とは、延長線上に入浴者の体が存在しない方法が意図される。例えば、浴槽内の入浴者の頭部よりも上の方向等を挙げることができるが、これに限定されない。
【００９４】
浴槽内の入浴者の方向に向かって吐出する第３気体せん断部、および方向転換部６８に向かって吐出する第３気体せん断部の各々の数は特に限定されない。例えば、各第３気体せん断部の数は多い方が好ましい。上記構成によれば、入浴者の全身に対してナノバブルを作用させることが可能になる。また、方向転換部６８に向かって吐出する第３気体せん断部を複数設ける場合には、各第３気体せん断部に対応するように、複数の方向転換部６８を設けることも可能である。この場合、入浴者の頭部および顔以外の箇所（例えば、入浴者の上半身）に対しても低圧にてナノバブル含有水を接触させることができるように、各方向転換部６８および第３気体せん断部６５を配置させることも可能である。
【００９５】
方向転換部６８は、少なくとも１つの第３気体せん断部６５から吐出されたナノバブル含有水（浴槽水）の進行方向を変えるとともに、当該進行方向が変わったナノバブル含有水を入浴者の頭部に向かって導くものであればよい。
【００９６】
例えば、上記方向転換部６８は、入浴者の頭部に対向する側が凹んだ曲面を有するものであることが好ましい。上記構成であれば、上記曲面に向かってナノバブル含有水を吐出することによって、当該曲面によってナノバブル含有水が跳ね返される。その結果、速度が落ちたナノバブル含有水を、入浴者の頭部および顔に確実に接触させることができる。
【００９７】
上記曲面としては特に限定されないが、例えば、球体の一部を含むものであることが好ましいが、これに限定されない。
【００９８】
また、上記方向転換部６８の材質は特に限定されないが、合成樹脂または金属であることが好ましい。上記構成によれば、より確実にナノバブル含有水の速度を落とした上で、当該ナノバブル含有水を入浴者の頭部および顔に接触させることができる。
【００９９】
また、上記方向転換部６８の設置場所も特に限定されない。例えば、方向転換部６８は、浴槽１内の入浴者の上方に設けられることが好ましい。上記構成であれば、速度が落ちたナノバブル含有水をより確実に入浴者の頭部および顔に接触させることが可能になる。
【０１００】
なお、第３気体せん断部６５の上流には、減圧弁６４が設けられることが好ましい。減圧弁６４を設ければ、第３気体せん断部６５から吐出される前の浴槽水の吐出圧を小さくすることができるので（例えば、吐出圧が０．５ｋｇ／ｃｍ２以下）、より確実に低圧の浴槽水を入浴者の頭部および顔に接触させることができる。
【０１０１】
本実施の形態の入浴装置では、第３気体せん断部６０〜６３の上流に、バルブ５５〜５８が設けられていることが好ましい。また、第３気体せん断部６５の上流には、減圧弁６４およびバルブ５９が設けられていることが好ましい。また、本実施の形態の入浴装置では、信号線７５を介して上記バルブ５５〜５９および減圧弁６４の開閉動作を制御するために、タイマーパネル７３（バルブ制御手段）およびスイッチ７２が設けられていることが好ましい。上記構成によれば、ナノバブル含有水を吐出する第３気体せん断部を選択することができるので、入浴者に対するマッサージ効果を増大させることができる。なお、上記タイマーパネル７３の代わりに、シーケンサーパネルを用いることも可能である。
【０１０２】
例えば、最初は、入浴者の足の近くに配置されているバルブ５５を開くとともに、他のバルブは閉じた状態にて、浴槽１内にナノバブル含有水を吐出する。これによって、高圧のナノバブル含有水によって、入浴者の足をマッマッサージすることができる。次いでバルブ５６を開くことによって、入浴者の足の上部から膝にかけてマッサージすることができる。次いでバルブ５７を開くことによって、入浴者の腹部をマッサージすることができる。次いでバルブ５８を開くことによって、入浴者の胸部をマッサージすることができる。最後に、バルブ５９および減圧弁６４を開くとともに他のバルブを閉じることによって、第３気体せん断部６５から低圧にてナノバブル含有水が吐出される（低圧吐出水６６）。そして当該ナノバブル含有水は、方向転換部６８によって無圧のシャワー水６７に変換された後、入浴者の頭部２７および顔に向かって導かれる。そして、上記シャワー水６７によって、頭髪の洗浄と育毛、顔面の洗浄、しわたるみの防止を行うことができる。なお、上記具体的な制御方法は単なる一例であって、バルブ等の制御方法は、これに限定されない。
【０１０３】
なお、上記タイマーパネル７３は、信号線７５を介して、電動ニードルバルブ８および気液混合循環ポンプ３を制御することも可能である。これによって、ナノバブルを含有する浴槽水の作製を制御することができる。
【０１０４】
上述した気液混合循環ポンプ３、第１気体せん断部４、第２気体せん断部５および第３気体せん断部６０〜６３・６５の具体的な構成としては、市販のものを用いることが可能である。各々の構成としては特に限定しないが、例えば、株式会社  協和機設社製のバビダスＨＹＫ型を用いることが可能である。
【０１０５】
次いで、配管径調節部３４について説明する。
【０１０６】
第２気体せん断部５にて作製されたナノバブル含有水は、次いで配管径調節部３４に導入されることが好ましい。
【０１０７】
上記配管径調節部３４は、後述する磁気活水作製部９に導入するナノバブル含有水の流量を調節するとともに、第２気体せん断部５から乱流として吐出されたナノバブル含有水の流れを相流の状態に整える。これによって、後段の磁気活水作製部９によってナノバブル含有水に対して均等に磁場をかけることが可能になり、その結果、ナノバブル含有水に磁気活性を効率よく付与させることができる。
【０１０８】
なお、磁気活水作製部９に導入されるナノバブル含有水の流速は、２ｍ／秒以上であることが好ましい。上記構成によれば、ナノバブル含有水に対して効率よく磁場の影響を及ぼすことができる。そして、配管径調節部３４を備えていれば、あらゆる液体の流速を所望の流速に調節することができる。
【０１０９】
配管径調節部３４の材質は特に限定されないが、例えば、ステンレス等であることが好ましい。
【０１１０】
以下に、配管径調節部３４の具体的な構成について説明する。
【０１１１】
本実施の形態の入浴装置では、第２気体せん断部５と磁気活水作製部９とを連結する配管８０に配管径調節部３４が設けられている。
【０１１２】
上記第１配管径調節部３４は、配管８０の少なくとも一部の内腔横断面の大きさを変化させることができるものであればよく、その具体的な構成は特に限定されない。
【０１１３】
例えば図９（ａ）および図９（ｂ）に示すように、上記配管径調節部３４は、円筒形状を有する配管によって形成され得る。図９（ａ）に示すように、上記配管８０の各端部には、フランジ３３およびフランジ３５が備え付けられている。また、上記配管径調節部３４の各端部にも、フランジ３３およびフランジ３５が備え付けられている。また、上記フランジ３３およびフランジ３５にはボルト孔８５が設けられている。そして、図９（ａ）および図９（ｂ）に示すように、当該ボルト孔８５にボルトを着脱することによって、配管８０に備え付けられたフランジ３３と配管径調節部３４に備え付けられたフランジ３３同士、および配管８０に備え付けられたフランジ３５と配管径調節部３４に備え付けられたフランジ３５同士を着脱することができる。これによって、上記配管８０の端部の間に連結される配管径調節部３４を交換することができる。このとき、異なる円筒形状、つまり横断面の直径が異なる円筒形状を有する複数の配管径調節部３４を準備しておき、これらの中から所望の配管径調節部３４を選択して、当該配管径調節部３４を配管８０の端部の間に連結すれば、これによって、配管８０の少なくとも一部の内腔横断面を、所望の大きさに変化させることができる。
【０１１４】
配管径調節部３４が円筒形状の配管によって形成される場合、ナノバブル含有水が流れる方向における上記配管径調節部３４の長さは特に限定されず、適宜設定することができる。例えば、上記配管径調節部３４の長さは、後述するフランジ６に開けられる開口の直径の１０倍以上の長さであることが好ましい。また、上記配管径調節部３４の長さは、円筒形状を有する配管径調節部３４の横断面の直径の１０倍以上の長さであることが更に好ましい。上記構成によれば、乱流として配管径調節部３４内に導入されたナノバブル含有水を確実に相流に変換した後、当該ナノバブル含有水を磁気活水作製部９に向かって吐出することができる。
【０１１５】
次いで、磁気活水作製部９について説明する。
【０１１６】
上記配管径調節部３４を通過したナノバブル含有水は、磁気活水作製部９に導入されることが好ましい。上記磁気活水作製部９では、上記第２気体せん断部５にて製造されたナノバブル含有水に磁場をかける。その結果、ナノバブル含有水に対して磁気活水としての活性（磁気活性）を付与することができる。
【０１１７】
以下に、磁気活水作製部９の具体的な構成について説明する。
【０１１８】
図１に示す入浴装置では、第２気体せん断部５と第３気体せん断部との間に第１磁気活水作製部９が設けられている。なお、磁気活水作製部９の位置としては、これに限定されない。例えば、磁気活水作製部９を、第２気体せん断部５の上流に設けることも可能である。この場合、上記配管径調節部３４は、第１気体せん断部４と磁気活水作製部９との間に設けられることが好ましい。
【０１１９】
上記磁気活水作製部９は、第２気体せん断部５にて製造されたバブル含有水に磁場をかけることができるものであればよく、その具体的な構成は特に限定されない。例えば、図１に示すように、上記磁気活水作製部９は、フランジ６およびフランジ１２に挟まれるように設けられ得る。図１に示すように、フランジ６は配管８０の端部に接続されており、フランジ１２は配管１３の端部に接続されている。そして、上記フランジ６とフランジ１２との間に磁気活水作製部９が設けられ得る。
【０１２０】
上記磁気活水作製部９は、ナノバブル含有水を通過させるための流路２６を有している。そして、当該流路２６の少なくとも一部は、磁石のＳ極として機能する領域と磁石のＮ極として機能する領域によって挟まれており、これによって、上記流路２６中を通過するナノバブル含有水に磁場をかけることが可能になる。
【０１２１】
上記流路２６の横断面の形状は特に限定されず適宜設定することができる。上記流路２６の横断面の形状としては、例えば、対向する少なくとも１対の面を有するもの（例えば、正方形または長方形など）であることが好ましい。なお、上記流路２６の横断面の形状が例えば正方形または長方形である場合には、上記流路２６の立体的な形状は、略平板状になることが好ましい。
【０１２２】
一例として、図１０に、横断面の形状が長方形である流路２６を有する磁気活水作製部９の断面図を示す。図に示すように、流路２６は、互いに対向する面９０（第１面）および面９１（第２面）を有している。そして、上記面９０の側には磁石のＳ極１０が配置されており、上記面９１の側には磁石のＮ極１６が配置されている。そして、上記Ｓ極１０とＮ極１６との間で磁場が形成され、当該磁場の中をナノバブル含有水が通過する。換言すれば、図１に示すように、上記Ｓ極１０とＮ極１６との間で形成される磁力線１１の中をバブル含有水が通過する。そして、磁場の中を通過することによって、ナノバブル含有水に磁気活性が付与される。
【０１２３】
つまり、磁力線１１の中を液体が通過すると、微弱な電流が発生する。そして、微弱な電流の作用によって水分子同士の結合が崩れ、その結果、クラスター（分子のかたまり）が細分化する。クラスターが細分化された水は、当該クラスターのすき間に酸素を吸収する作用が高いので、外気から大量の酸素を吸収して溶存酸素濃度が高くなる。それと同時に、微弱な電流の作用により、液体中にラジカルを発生させることが可能になる。その結果、液体に磁気活性を付与すれば、当該液体中に活性酸素を発生させることが可能になる。したがって、磁気活性を有するナノバブル含有水は、ナノバブルに由来するフリーラジカルの酸化能力と、上記活性酸素に由来する酸化能力の両方を備えることが可能になり、当該強力な酸化能力によって、入浴者の血流量を増加させることができる。
【０１２４】
上記面９０と上記面９１との間の距離は特に限定されず、適宜設定することができる。例えば、上記面９０と上記面９１との間の距離は、３０ｍｍ以下であることが好ましい。上記構成によれば、ナノバブル含有水に対して効率よく磁気活水としての活性を付与することができる。
【０１２５】
また、上記流路２６内の磁束密度（残留磁束密度）は、３５０ミリテスラ（３５００ガウス以上であることが好ましく、４５０ミリテスラ以上であることが、より好ましい。
【０１２６】
また、上記面９０の側に配置されるＳ極１０の数、および上記面９１の側に配置されるＮ極１６の数も特に限定されず、適宜設定することができる。例えば、図１に示すように、Ｓ極１０およびＮ極１６を各々３つずつ配置することができるが、これに限定されない。
【０１２７】
なお、上記磁気活水作製部９としては、適宜公知の構成を用いることが可能である。例えば、株式会社ビー・シー・オー製のＢＫ型を用いることも可能であるが、これに限定されない。
【０１２８】
本実施の形態の入浴装置では、磁気活水作製部９にて作製されたナノバブル含有磁気活水は、更に配管１３を介して第３気体せん断部６０〜６３・６５に導入される。上述したように、当該第３気体せん断部１４では、ナノバブルが更にせん断される。その結果、ナノバブル含有磁気活水中のナノバブルのサイズを更に小さくするとともに、含有されるナノバブルの量を多くすることができる。第３気体せん断部６０〜６３・６５としては、第２気体せん断部５と同じ構成を用いることが可能である。なお、第３気体せん断部６０〜６３・６５の詳細については既に説明したので、ここではその説明を省略する。
【０１２９】
本実施の形態の入浴装置では、第３気体せん断部にて処理されたナノバブル含有水（浴槽水）は、矢印１５に示すように高圧にて浴槽１内に吐出されるとともに、方向転換部６８に向かって吐出される。そして、上記浴槽水が高圧にて入浴者の体に接触することによって、当該入浴者の血流量を増加させることができる。
【０１３０】
〔実施の形態２〕
本発明の他の実施の形態について、図２に基づいて説明する。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１３１】
本実施の形態の入浴装置では、図１に示す入浴装置と比較して、スイッチ７２、タイマーパネル７３、および信号線７５が省略されている。
【０１３２】
上記構成の場合、例えば手動によってバルブ５５〜５９、減圧弁６４、気液混合循環ポンプ３および電動ニードルバルブ８等を操作すればよい。その結果、運転方法を操作者が自由に変更できるという利点を有するとともに、低コストにて入浴装置を作製することができるという利点を有する。特に、本実施の形態の入浴装置は、運転方法が決定されていない実験などで使用する場合に有利である。
【０１３３】
〔実施の形態３〕
本発明の他の実施の形態について、図３に基づいて説明する。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１３４】
本実施の形態の入浴装置では、磁気活水作製部９と第３気体せん断部６０〜６３・６５との間に、第２気体せん断部５が備えられている。したがって、本実施の形態の入浴装置では、磁気活水作製部９によってマイクロバブル含有水に磁気活性が付与された後、当該マイクロバブル含有水を第２気体せん断部５によって更にせん断することによって、ナノバブル含有水を作製している。そして、当該マイクロバブル含有水を第３気体せん断部６０〜６３・６５によって更にせん断することによって、更に小さなナノバブルを含有するナノバブル含有水（浴槽水）を作製している。
【０１３５】
本実施の形態の入浴装置は、基本的に図１に示す入浴装置と同じ構成を有しているので、図１に示す入浴装置とほぼ同じ性能を有している。
【０１３６】
〔実施の形態４〕
本発明の他の実施の形態について、図４に基づいて説明する。なお、本実施の形態において説明すること以外の構成は、実施の形態１と同じである。また、説明の便宜上、実施の形態１の図面に示した部材と同一の機能を有する部材については、同一の符号を付し、その説明を省略する。
【０１３７】
本実施の形態の入浴装置では、図１に示す入浴装置に対して、酸化還元電位計２９、酸化還元電位調節計３１およびシーケンサー３２が設けられている。そして、上記酸化還元電位計２９、電動ニードルバルブ８および気液混合循環ポンプ３は、信号線７５を介して酸化還元電位調節計３１およびシーケンサー３２によって制御されている。
【０１３８】
上記構成によれば、酸化還元電位計２９によって測定された酸化還元電位に応じて、電動ニードルバルブ８および気液混合循環ポンプ３を制御することができる。その結果、浴槽１内の浴槽水の酸化還元電位を一定に保つことができるとともに、必要に応じて変化させることができる。
【０１３９】
なお、酸化還元電位とは、物質が他の物質を酸化しやすい状態にあるのか、還元しやすい状態にあるのかを示す指標である。そして、酸化還元電位がプラス側に大きければ酸化力が強く、マイナス側に大きければ還元力が強いことになる。そして、酸化還元電位を所望の値に設定することによって、入浴者の血流量の増減を制御することができる。
【０１４０】
〔実施の形態５〕
本発明の他の実施の形態について、図５に基づいて説明する。なお、本実施の形態において説明すること以外の構成は、実施の形態２と同じである。また、説明の便宜上、実施の形態２の図面に示した部材と同一の機能を有する部材については、同一の符号を付し、その説明を省略する。
【０１４１】
本実施の形態の入浴装置では、図２に示す入浴装置において、薬用植物５２の代わりにラジウム鉱石７０が備えられている。
【０１４２】
上記構成によれば、ラジウム鉱石７０の効果によって、さらに血流量を増加させることができる。
【０１４３】
なお、ラジウム鉱石７０としては特に限定されず、適宜公知の構成を用いることができる。例えば、０．１３６マイクロシーベルト／時であるラジウム鉱石（株式会社アイケーシー社製）を用いることができる。
【０１４４】
〔実施の形態６〕
本発明の他の実施の形態について、図６に基づいて説明する。なお、本実施の形態において説明すること以外の構成は、実施の形態２と同じである。また、説明の便宜上、実施の形態２の図面に示した部材と同一の機能を有する部材については、同一の符号を付し、その説明を省略する。
【０１４５】
本実施の形態の入浴装置では、図２に示す入浴装置において、薬用植物５２の代わりに活性炭７１が備えられている。
【０１４６】
上記構成によれば、浴槽水中に存在する垢などの汚れを浄化することができるとともに、浴槽水中の着色成分等を除去することができる。その結果、浴槽水を繰り返し用いてナノバブル含有水を作製することができるので、資源を有効利用することができる。
【０１４７】
なお、活性炭７１としては特に限定されず、適宜公知の構成を用いることができる。
【０１４８】
〔実施の形態７〕
本発明の他の実施の形態について、図７に基づいて説明する。なお、本実施の形態において説明すること以外の構成は、実施の形態２と同じである。また、説明の便宜上、実施の形態２の図面に示した部材と同一の機能を有する部材については、同一の符号を付し、その説明を省略する。
【０１４９】
本実施の形態の入浴装置では、図２に示す入浴装置において、磁気活水作製部９および配管径調節部３４が省略されている。
【０１５０】
上記構成によれば、少ないコストにて、本願発明の入浴装置を作製することができる。
【０１５１】
〔実施の形態８〕
本発明の他の実施の形態について、図８に基づいて説明する。なお、本実施の形態において説明すること以外の構成は、実施の形態２と同じである。また、説明の便宜上、実施の形態２の図面に示した部材と同一の機能を有する部材については、同一の符号を付し、その説明を省略する。
【０１５２】
本実施の形態の入浴装置では、図２に示す入浴装置において、収容部４９が省略されている。
【０１５３】
上記構成によれば、少ないコストにて、本願発明の入浴装置を作製することができる。
【実施例】
【０１５４】
〔１．入浴装置の作製〕
図１に基づいて、入浴装置を製作した。当該入浴装置では、浴槽１として容量が約０．４ｍ３のものを用いるとともに、３．７ｋｗの電動機からなる気液混合循環ポンプ３等として株式会社協和機設製のＨＹＫ型を用いた。また、磁気活水作製部９として、全長８００ｍｍ、横幅１６０ｍｍ、縦幅３１０ｍｍのものを用いた。なお、具体的に上記磁気活水作製部９としては、株式会社ビー・シー・オー製のＢＫ型を用いた。なお、第３気体せん断部は、図１に示すように５つ設けた。
【０１５５】
そして、浴槽１に水道水を３５０リットル投入して入用装置を１２分運転し、作製されたナノバブルをベックマンコールター株式会社製の測定器にて測定した。
【０１５６】
その結果、直径が０．１μｍを中心として略正規分布するナノバブルを確認できた。また、磁気活性に由来する酸化還元電位をＯＲＲ計ＨＣ型（東亜ディーケーケー株式会社製）で測定したところ、プラス４００ｍｖであった。
【０１５７】
〔２．気体量とバブルサイズの関係〕
上記入浴装置において、第１気体せん断部に供給する気体量を変化させたときの、バブルサイズの分布を測定した。なお作製されたバブルサイズは、ベックマンコールター株式会社製の測定器にて測定した。
【０１５８】
【表１】
2009106539.tif 000003
表１に示すように、第１気体せん断部に供給する気体の量を１．２リットル／分以下とすれば、ナノバブルのみを発生させることができることが明らかになった。一方、１．２リットル／分よりも多くすれば、ナノバブルではなくマイクロバブルが発生することが明らかになった。
【０１５９】
〔３．血流量に対する効果（１）〕
上記入浴装置を用いて、様々なバブル径を有するバブルを作製し、当該バブル含有水の血流量増加効果を測定した。
【０１６０】
なお、血流量としては、ナノバブル含有水またはマイクロバブル含有水を作用させる前の血流量（Ｑ０）に対する、ナノバブル含有水またはマイクロバブル含有水を作用させた後の血流量（Ｑ）の比、すなわち（Ｑ／Ｑ０）の数値を示した。また、血流量の測定には、オメガフロー社製のＦＬＯ型の測定器を用いた。
【０１６１】
【表２】
2009106539.tif 000004
表２に示すように、マイクロバブル含有水と比較して、ナノバブル含有水の方が血流量増加効果が高いことが明らかになった。
【０１６２】
〔４．血流量に対する効果（２）〕
上記入浴装置を用いて、ナノバブル含有水およびナノバブル含有磁気活水を作製し、当該バブル含有水の血流量増加効果を測定した。
【０１６３】
なお、血流量としては、ナノバブル含有水またはマイクロバブル含有水を作用させる前の血流量（Ｑ０）に対する、ナノバブル含有水またはマイクロバブル含有水を作用させた後の血流量（Ｑ）の比、すなわち（Ｑ／Ｑ０）の数値を示した。また、血流量の測定には、オメガフロー社製のＦＬＯ型の測定器を用いた。
【０１６４】
【表３】
2009106539.tif 000005
表３に示すように、ナノバブル含有水と比較して、ナノバブル含有磁気活水の方が血流量増加効果が高いことが明らかになった。
【０１６５】
〔５．血糖値に及ぼす効果〕
上記入浴装置による入浴を継続的に行った後、発明者（年齢５８歳、身長１７０ｃｍ、体重６１ｋｇ）の食後の血糖値の変化を測定した。なお、血糖値の測定は、ロシュ・ダイアグノスティックス株式会社の『自己検査用グルコース測定器』であるアキュチェックコンフォート（登録商標）を使用して測定した。
【０１６６】
【表４】
2009106539.tif 000006
表４に示すように、本願発明の入浴装置にて入浴を行った場合、食後の血糖値を低減することができることを確認した。
【０１６７】
〔６．毛髪育毛効果〕
頭部の毛髪を楕円形に剃った後、従来の入浴装置または本願発明の入浴装置にて入浴し、発明者（年齢５８歳、身長１７０ｃｍ、体重６１ｋｇ）の毛髪の育毛状況を観察した。また、毛髪の洗浄効果については、発明者自信の頭部のかゆみ、臭気、かつ整髪料（ヘアーリキッド、ヘアークリーム等）が完全に毛髪から洗い流されているかを確認することによって評価し、また、顔面の洗浄効果については、発明者自身の顔の皮膚のすべすべ感や、自己の手で顔面をさわったときの感触によって評価した。また、神経性の痛みの改善効果に基づいて、本願発明の入浴装置のマッサージ効果を判定した。
【０１６８】
【表５】
2009106539.tif 000007
表５に示すように、本願発明の入浴装置は、毛髪の育毛効果、毛髪および顔面の洗浄効果、ならびにマッサージ効果を有することが確認できた。
【０１６９】
なお本発明は、以上説示した各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。
【０１７０】
また、本願出願時に未公開である本願関連出願である特願２００７−０５０６３９、特願２００７−０９９９１２、特願２００７−１４２６４５および特願２００７−１９３１７２に記載の内容は、本明細書中に参考として援用される。
【産業上の利用可能性】
【０１７１】
本発明は、入浴装置やその部品を製造する分野に利用することができる。更に具体的に本発明は、浴槽、大規模温泉浴槽、プール、エステティック浴槽、治療用浴槽、動物用の浴槽等に利用することができる。
【図面の簡単な説明】
【０１７２】
【図１】本発明における入浴装置の実施の一形態を示す模式図である。
【図２】本発明における入浴装置の他の実施の一形態を示す模式図である。
【図３】本発明における入浴装置のさらに他の実施の一形態を示す模式図である。
【図４】本発明における入浴装置のさらに他の実施の一形態を示す模式図である。
【図５】本発明における入浴装置のさらに他の実施の一形態を示す模式図である。
【図６】本発明における入浴装置のさらに他の実施の一形態を示す模式図である。
【図７】本発明における入浴装置のさらに他の実施の一形態を示す模式図である。
【図８】本発明における入浴装置のさらに他の実施の一形態を示す模式図である。
【図９】（ａ）および（ｂ）は、上記入浴装置における、配管径調節部の模式図である。
【図１０】上記入浴装置における、磁気活水作製部の断面図である。
【符号の説明】
【０１７３】
１  浴槽
２・１３・５３  配管
３  気液混合循環ポンプ
４  第１気体せん断部
５  第２気体せん断部
６・１２・３３・３５  フランジ
７  気体配管
８  電動ニードルバルブ（気体量調節手段）
９  磁気活水作製部（活性化手段）
１０  Ｓ極
１１  磁力線
１６  Ｎ極
１７  ナノバブル発生部
２６  流路
２７  頭部
２９  酸化還元電位計
３１  酸化還元電位調節計３１
３２  シーケンサー
３４  配管径調節部（配管径調節手段）
３９  第１極
４０  第２極
４２  腰掛部
４３・５４・５５・５６・５７・５８・５９  バルブ
４４  固定部（固定手段）
４５  磁気発生部（磁気発生手段）
４６  処理部
４７  入浴装置
４９  収容部（収容手段）
５１  仕切り板
５２  薬用植物
６０・６１・６２・６３・６５  第３気体せん断部
６４  減圧弁
６６  低圧吐出水
６７  シャワー水
６８  方向転換部（方向転換手段）
６９  仕切り
７０  ラジウム鉱石
７１  活性炭
７２  スイッチ
７３  タイマーパネル（バルブ制御手段）
７４  充填部
７５  信号線
８５  ボルト孔
９０  面（第１面）
９１  面（第２面）
【図１】
2009106539.tif 000008
【図２】
2009106539.tif 000009
【図３】
2009106539.tif 000010
【図４】
2009106539.tif 000011
【図５】
2009106539.tif 000012
【図６】
2009106539.tif 000013
【図７】
2009106539.tif 000014
【図８】
2009106539.tif 000015
【図９】
2009106539.tif 000016
【図１０】
2009106539.tif 000017